(57)【要約】【課題】より薄型化を図ることができるレンズ駆動装置を実現する。【解決手段】光源から出射された光ビーム１５を、対物レンズ６を用いて記録媒体の記録層に集光させるレンズ駆動装置１０１において、対物レンズ６を光軸方向に移動可能な状態で保持する対物レンズ保持部１９を備え、対物レンズ保持部１９は、対物レンズ６をミラー１２に近づけたときに対物レンズ保持部１９とミラー１２とが接触することを避けるための切り欠き部を備えている。これにより、対物レンズ保持部１９とミラー１２との接触を避けるために必要な空間を低減することができるため、より薄型化を図ることができるレンズ駆動装置を提供することができる。【選択図】図５
2007059041.tif 000002
【特許請求の範囲】
【請求項１】
光源から出射されてミラーで反射された光ビームを、対物レンズを用いて記録媒体の記録層に集光させるレンズ駆動装置において、
上記対物レンズを光軸方向に移動可能な状態で保持する対物レンズ保持部を備え、
上記対物レンズ保持部は、対物レンズをミラーに近づけたときに対物レンズ保持部とミラーとが接触することを避けるための切り欠き部を備えていることを特徴とするレンズ駆動装置。
【請求項２】
光源から出射されてミラーで反射された光ビームを、対物レンズを用いて記録媒体の記録層に集光させるレンズ駆動装置において、
上記対物レンズを光軸方向に移動可能な状態で保持する対物レンズ保持部と、
上記ミラーで反射された光ビームの位相をずらすための波長板とを備え、
上記波長板は、対物レンズをミラーに近づけたときにミラーと接触することを避けるようにして、上記対物レンズ保持部のミラー側底面に配置されていることを特徴とするレンズ駆動装置。
【請求項３】
上記切り欠き部が、対物レンズ保持部のミラー側底面から見て凹部となっていることを特徴とする請求項１に記載のレンズ駆動装置。
【請求項４】
上記切り欠き部における切り欠き面が、フォーカス方向に平行であることを特徴とする請求項１に記載のレンズ駆動装置。
【請求項５】
上記切り欠き部における切り欠き面が、トラッキング方向に平行であることを特徴とする請求項１に記載のレンズ駆動装置。
【請求項６】
上記波長板が、波長板の面方向を、対物レンズに入射する光ビームの光軸に対して傾けて配置されていることを特徴とする請求項２に記載のレンズ駆動装置。
【請求項７】
光源から出射されてミラーで反射された光ビームを、対物レンズを用いて記録媒体の記録層に集光させるレンズ駆動装置を搭載した光ピックアップ装置において、
上記レンズ駆動装置は、上記対物レンズを光軸方向に移動可能な状態で保持する対物レンズ保持部を備え、
上記対物レンズ保持部は、対物レンズをミラーに近づけたときに対物レンズ保持部とミラーとが接触することを避けるための切り欠き部を備えていることを特徴とする光ピックアップ装置。
【請求項８】
上記ミラーは、対物レンズと近接する端部を備え、
上記対物レンズがミラー側に最も接近したときの上記対物レンズのミラー側に面した頂上部のフォーカス方向における位置が、ミラーの上記端部よりもミラー底面に近くなるように構成されていることを特徴とする請求項７に記載の光ピックアップ装置。
【請求項９】
光源から出射される光ビームを反射するミラーと、
上記ミラーで反射された光ビームの位相をずらすための波長板と、
波長板により位相がずらされた光ビームを記録媒体の記録層に集光させる対物レンズとを備えた光ピックアップ装置であって、
上記ミラーは、対物レンズと近接する端部を備え、
上記波長板は、ミラーの上記端部に近接するミラー頂上部側の端部と、ミラー頂上部側の端部と対向する、光源側の端部とを備え、
光源側の端部のフォーカス方向における位置が、ミラー頂上部側の端部よりもミラー底面に近くなるように、波長板が配置されていることを特徴とする光ピックアップ装置。
【請求項１０】
上記波長板における光源側の端部のフォーカス方向における位置が、ミラーの上記端部よりもミラー底面に近くなるように構成されていることを特徴とする請求項９に記載の光ピックアップ装置。
【請求項１１】
上記対物レンズを光軸方向に移動可能な状態で保持する対物レンズ保持部を更に備えていることを特徴とする請求項９に記載の光ピックアップ装置。
【発明の詳細な説明】
【技術分野】
【０００１】
本発明は、光ディスク等の記録媒体への光学的な情報の記録及び／または再生を行う光記録再生装置で使用される光ピックアップ装置に配備され、対物レンズを光軸方向及び光軸に直交する方向に駆動するレンズ駆動装置、並びに該レンズ駆動装置を搭載した光ピックアップ装置に関するものである。
【背景技術】
【０００２】
従来から、コンパクトディスク、レーザディスク、追記型もしくは書き換え可能型光ディスク等の記録媒体を用いた情報の記録、再生には、光ピックアップ装置が使用されている。光ピックアップ装置を用いた情報の記録、再生は、光源から出射された光ビームを上記記録媒体における記録・再生面に照射し、この記録・再生面からの反射光を利用することにより行われている。
【０００３】
光ピックアップ装置は、光源からの光ビームを記録媒体の記録層に集光させるレンズ駆動装置を備えている。レンズ駆動装置は、光ビームを記録媒体の記録層に集光させる対物レンズと、対物レンズを移動可能な状態で固定するレンズフォルダとを備えている。
【０００４】
光ピックアップ装置は、装置を薄型化するために、通常、レンズ駆動装置における対物レンズの下に光ビームを９０度反射させるミラーを配置し、光源からの光ビームをこのミラーで反射させ、対物レンズへ導く構成となっている（例えば、特許文献１参照）。
【０００５】
図１１に、従来のレンズ駆動装置を示す。図１１は、従来のレンズ駆動装置を対物レンズの中心を通ってフォーカス方向に切断した断面図である。
【０００６】
図１１に示すように、レンズ駆動装置は、レンズフォルダ１０７をフォーカス方向に動作させることによって、対物レンズ６の焦点調整を行っている。
【０００７】
ミラー１２は、通常、ミラーの外周から略０．３ｍｍ程度内側までの部分は、加工する際に割れ目や欠け等が生じる可能性があるため、反射面として使用されていない。このため、光ピックアップ装置に搭載されているミラー１２は、ミラー１２へ入射する光ビームの幅よりも少し広い大きさを有している。
【特許文献１】特開２００５−１０７１４５号公報（２００５年４月２１日公開）
【発明の開示】
【発明が解決しようとする課題】
【０００８】
しかしながら、上記従来の構成では、対物レンズ６をミラー１２に近づけたときに、ミラーの反射面として使用されていない部分が、レンズフォルダにおける対物レンズ保持部と接触することを避けるために、空間を設ける必要がある。つまり、対物レンズ保持部とミラーとの間に、接触を避けるために必要な空間を設けなければならない。このため、光ピックアップ装置の更なる薄型化を実現させることが困難であるという問題を生じる。
【０００９】
本発明は、上記の問題点に鑑みてなされたものであり、その目的は、対物レンズ保持部とミラーとの接触を避けるために必要な空間を低減することで、より薄型化を図ることができるレンズ駆動装置を実現することにある。
【課題を解決するための手段】
【００１０】
本発明に係るレンズ駆動装置は、上記課題を解決するために、光源から出射されてミラーで反射された光ビームを、対物レンズを用いて記録媒体の記録層に集光させるレンズ駆動装置において、上記対物レンズを光軸方向に移動可能な状態で保持する対物レンズ保持部を備え、上記対物レンズ保持部は、対物レンズをミラーに近づけたときに対物レンズ保持部とミラーとが接触することを避けるための切り欠き部を備えていることを特徴としている。
【００１１】
上記の構成によれば、対物レンズ保持部が切り欠き部を備えているため、対物レンズをミラーの反射面に極限まで近づけることができる。よって、対物レンズ保持部とミラーとの接触を避けるために必要な空間を低減することができるため、より薄型化を図ることができるレンズ駆動装置を提供することができるという効果を奏する。
【００１２】
本発明に係るレンズ駆動装置は、上記課題を解決するために、光源から出射されてミラーで反射された光ビームを、対物レンズを用いて記録媒体の記録層に集光させるレンズ駆動装置において、上記対物レンズを光軸方向に移動可能な状態で保持する対物レンズ保持部と、上記ミラーで反射された光ビームに対して位相をずらすための波長板とを備え、上記波長板は、対物レンズをミラーに近づけたときにミラーと接触することを避けるようにして、上記対物レンズ保持部のミラー側底面に配置されていることを特徴としている。
【００１３】
上記の構成によれば、波長板は、対物レンズをミラーに近づけたときにミラーと接触することを避けるようにして設置されているため、対物レンズをミラーの反射面により近づけることができる。よって、対物レンズ保持部とミラーとの接触を避けるために必要な空間を低減することができるため、より薄型化を図ることができるレンズ駆動装置を提供することができるという効果を奏する。
【００１４】
本発明に係るレンズ駆動装置では、上記切り欠き部が、対物レンズ保持部のミラー側底面から見て凹部となっているが好ましい。
【００１５】
これにより、ミラーの反射面として使用することができない領域を含む先端部分を、対物レンズ保持部が備える凹部（空間）に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【００１６】
本発明に係るレンズ駆動装置では、上記切り欠き部における切り欠き面が、フォーカス方向に平行であることが好ましい。
【００１７】
これにより、ミラーの反射面として使用することができない領域を含む先端部分を、対物レンズ保持部に切り欠き部を設けたことにより生じる空間に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【００１８】
本発明に係るレンズ駆動装置では、上記切り欠き部における切り欠き面が、トラッキング方向に平行であることが好ましい。
【００１９】
これにより、ミラーの反射面として使用することができない領域を含む先端部分を、対物レンズ保持部に切り欠き部を設けたことにより生じる空間に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【００２０】
本発明に係るレンズ駆動装置では、上記波長板が、波長板の面方向を、対物レンズに入射する光ビームの光軸に対して傾けて配置されていることが好ましい。
【００２１】
これにより、ミラーの反射面として使用することができない領域を含む先端部分を、波長板を傾けたことにより生じる空間に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【００２２】
本発明に係る光ピックアップ装置は、上記課題を解決するために、光源から出射されてミラーで反射された光ビームを、対物レンズを用いて記録媒体の記録層に集光させるレンズ駆動装置を搭載した光ピックアップ装置において、上記レンズ駆動装置は、上記対物レンズを光軸方向に移動可能な状態で保持する対物レンズ保持部を備え、上記対物レンズ保持部は、対物レンズをミラーに近づけたときに対物レンズ保持部とミラーとが接触することを避けるための切り欠き部を備えていることを特徴としている。
【００２３】
上記の構成によれば、上記レンズ駆動装置は、対物レンズ保持部とミラーとの接触を避けるために必要な空間を低減することができる。このため、より薄型化を図ることができる光ピックアップ装置を提供することができるという効果を奏する。
【００２４】
本発明に係る光ピックアップ装置では、上記ミラーは、対物レンズと近接する端部を備え、上記対物レンズがミラー側に最も接近したときの上記対物レンズのミラー側に面した頂上部のフォーカス方向における位置が、ミラーの上記端部よりもミラー底面に近くなるように構成されていることが好ましい。
【００２５】
上記の構成によれば、対物レンズ保持部とミラーとの接触を避けるために必要な空間をより低減することができるため、より薄型化を図ることができる光ピックアップ装置を提供することができる。
【００２６】
本発明に係る光ピックアップ装置は、上記課題を解決するために、光源から出射される光ビームを反射するミラーと、上記ミラーで反射された光ビームの位相をずらすための波長板と、波長板により位相がずらされた光ビームを記録媒体の記録層に集光させる対物レンズとを備えた光ピックアップ装置であって、上記ミラーは、対物レンズと近接する端部を備え、上記波長板は、ミラーの上記端部に近接するミラー頂上部側の端部と、ミラー頂上部側の端部と対向する、光源側の端部とを備え、光源側の端部のフォーカス方向における位置が、ミラー頂上部側の端部よりもミラー底面に近くなるように、波長板が配置されていることを特徴としている。
【００２７】
上記の構成によれば、ミラーの反射面として使用することができない領域を含む先端部分を、波長板を傾けたことにより生じる空間に収容することができる。このため、より薄型化を図ることができる光ピックアップ装置を提供することができるという効果を奏する。
【００２８】
本発明に係る光ピックアップ装置では、上記波長板における光源側の端部のフォーカス方向における位置が、ミラーの上記端部よりもミラー底面に近くなるように構成されていることが好ましい。
【００２９】
上記の構成によれば、対物レンズ保持部とミラーとの接触を避けるために必要な空間をより低減することができるため、より薄型化を図ることができる光ピックアップ装置を提供することができる。
【００３０】
本発明に係る光ピックアップ装置では、上記対物レンズを光軸方向に移動可能な状態で保持する対物レンズ保持部を更に備えていることが好ましい。
【００３１】
上記の構成によれば、上記対物レンズを光軸方向に移動させることができる。
【発明の効果】
【００３２】
本発明に係るレンズ駆動装置は、以上のように、光源から出射されてミラーで反射された光ビームを、対物レンズを用いて記録媒体の記録層に集光させるレンズ駆動装置において、上記対物レンズを光軸方向に移動可能な状態で保持する対物レンズ保持部を備え、上記対物レンズ保持部は、対物レンズをミラーに近づけたときに対物レンズ保持部とミラーとが接触することを避けるための切り欠き部を備えている。
【００３３】
このため、対物レンズをミラーの反射面に極限まで近づけることができる。よって、対物レンズ保持部とミラーとの接触を避けるために必要な空間を低減することができるため、より薄型化を図ることができるレンズ駆動装置を提供することができるという効果を奏する。
【００３４】
また、本発明に係るレンズ駆動装置は、光源から出射されてミラーで反射された光ビームを、対物レンズを用いて記録媒体の記録層に集光させるレンズ駆動装置において、上記対物レンズを光軸方向に移動可能な状態で保持する対物レンズ保持部と、上記ミラーで反射された光ビームに対して位相をずらすための波長板とを備え、上記波長板は、対物レンズをミラーに近づけたときにミラーと接触することを避けるようにして、上記対物レンズ保持部のミラー側底面に配置されていることを特徴としている。
【００３５】
このため、より薄型化を図ることができるレンズ駆動装置を提供することができるという効果を奏する。
【００３６】
本発明に係る光ピックアップ装置は、光源から出射されてミラーで反射された光ビームを、対物レンズを用いて記録媒体の記録層に集光させるレンズ駆動装置を搭載した光ピックアップ装置において、上記対物レンズを光軸方向に移動可能な状態で保持する対物レンズ保持部を備え、上記対物レンズ保持部は、対物レンズをミラーに近づけたときに対物レンズ保持部とミラーとが接触することを避けるための切り欠き部を備えていることを特徴としている。
【００３７】
このため、より薄型化を図ることができる光ピックアップ装置を提供することができるという効果を奏する。
【００３８】
また、本発明に係る光ピックアップ装置は、光源から出射される光ビームを反射するミラーと、上記ミラーで反射された光ビームの位相をずらすための波長板と、波長板により位相がずらされた光ビームを記録媒体の記録層に集光させる対物レンズとを備えた光ピックアップ装置であって、上記ミラーは、対物レンズと近接する端部を備え、上記波長板は、ミラーの上記端部に近接するミラー頂上部側の端部と、ミラー頂上部側の端部と対向する、光源側の端部とを備え、光源側の端部のフォーカス方向における位置が、ミラー頂上部側の端部よりもミラー底面に近くなるように、波長板が配置されていることを特徴としている。
【００３９】
このため、より薄型化を図ることができる光ピックアップ装置を提供することができるという効果を奏する。
【発明を実施するための最良の形態】
【００４０】
（実施の形態１）
本発明の一実施形態について図１〜図５及び図１２に基づいて説明すると、以下の通りである。
【００４１】
図１は、対物レンズがミラー側に最も接近した場合における本実施の形態に係るレンズ駆動装置の斜視図である。また、図２は、図１に示す矢印Ａの方向から見たレンズ駆動装置の側面図であり、図３は、図１に示す矢印Ｂの方向から見たレンズ駆動装置の側面図である。
【００４２】
図１に示すようにレンズ駆動装置１０１は、基体となるベース部と、対物レンズ６を含むレンズ可動部と、レンズ可動部をベース部に支持する金属ワイヤ１１とを備えている。
【００４３】
ベース部は、ベース１と、駆動用マグネット４・５とを含む。レンズ可動部は、対物レンズ６と、レンズフォルダ１７と、フォーカスコイル８と、トラッキングコイル９と、固定基板１０とを含む。
【００４４】
スペーサ部材２は、光ピックアップ装置（図示せず）の基体に備えられ、ベース１を光ピックアップ装置の基体に固定している。
【００４５】
ベース１はベース部の基体である。駆動用マグネット４・５は、見かけ上四角柱の形状を有しており、四角柱の高さ方向がフォーカス方向と平行になるようにベース１に設置されている。駆動用マグネット５は対物レンズ６側に設置され、駆動用マグネット４はスペーサ部材２側に設置され、互いに引き合う極性となるように対向して配置されている。つまり、駆動用マグネット４・５は、一方から他方に向かう磁場を発生するように配置されている。駆動用マグネット４・５は、レンズ可動部におけるフォーカスコイル８及びトラッキングコイル９と共に作用して、レンズフォルダ１７をフォーカス方向及びトラッキング方向に駆動させる。
【００４６】
固定基板３は、スペーサ部材２の駆動用マグネット５側とは反対の面に設置されており、光ピックアップ装置を介して、金属ワイヤ１１を該光ピックアップ装置を搭載した光記録再生装置（図示せず）の駆動制御回路へ電気的に接続させる。
【００４７】
レンズフォルダ１７は、対物レンズ６と、フォーカスコイル８と、トラッキングコイル９と、固定基板１０とを備えるレンズ可動部の基体であり、金属ワイヤ１１により、スペーサ部材２に支持されている。レンズフォルダ１７には、ベース１に備えられる駆動用マグネット４・５に対応する２つの穴が設けられている。
【００４８】
また、レンズフォルダ１７における対物レンズ保持部１９は、図２および図３に示すように、その底面に、ミラー１２と対向する面１９ａを有しており、ミラー１２と対向する面１９ａ以外の底面（ミラー１２と対向していない面１９ｂ）は、ミラー１２と対向する面１９ａよりもミラー１２側に突き出ている。つまり、図２に示すように、光ビームのミラー１２への入射方向（図１の矢印Ａ）からレンズフォルダ１７を見た場合、対物レンズ保持部１９は、ミラー１２の端部（対物レンズ６と近接するミラー１２の端部１２ａ）を取り囲むようなコの字型の形状を有している。
【００４９】
対物レンズ６は、対物レンズ６の光軸がミラー１２で反射した光ビームの光軸と一致するようにしてレンズフォルダ１７の端部に固定され、光ビームを記録媒体（図示せず）の記録層に集光させる。尚、対物レンズの大きさは特には限定されないが、ミラー１２で反射した光ビームの全てを受光できる大きさであることがより好ましい。
【００５０】
フォーカスコイル８は、レンズフォルダ１７の対物レンズ６とは反対側の端部に固定され、対物レンズ１の光軸と平行な軸線まわりに巻回された、中空の見かけ上四角柱の形状を有している。フォーカスコイル８は、フォーカスコイル８の中空部分が、ベース１に備えられる駆動用マグネット４に対応する穴と一致するように設置されており、駆動用マグネット４・５と共に作用して、対物レンズ６をフォーカス方向に駆動させる。
【００５１】
トラッキングコイル９は、フォーカスコイル８の対物レンズ６側の側面に固定されている。トラッキングコイル９は、対物レンズ１の光軸と直交する軸線まわりに巻回されており、駆動用マグネット４・５と共に作用して、対物レンズ６をトラッキング方向に駆動させる。
【００５２】
固定基板１０は、トラッキング方向においてトラッキングコイル９を挟むようにレンズフォルダ１７の両側面にそれぞれ一個ずつ設置されており、金属ワイヤ１１を介してフォーカスコイル８及びトラッキングコイル９に給電する。
【００５３】
金属ワイヤ１１は、固定基板１０と固定基板３との間に、トラッキング方向と直交する軸と略平行になるように配置され、各固定基板１０にそれぞれ２本ずつ、合計４本が互いに平行となるように設置されている。これにより、レンズフォルダ１７がフォーカス方向及びトラッキング方向に移動可能になっていると共に、移動しても対物レンズ６の光軸方向が変化しないようになっている。また、金属ワイヤ１１は、レンズ可動部をベース部に支持するためだけではなく、固定基板３から固定基板１０を経てフォーカスコイル８及びトラッキングコイル９に給電する。
【００５４】
また、ミラー１２は、レンズ駆動装置１０１における対物レンズ６の光軸方向に沿って対物レンズ６の光ビームが入射する側に備えられている。
【００５５】
ミラー１２は、光ピックアップ装置の基体に固定されており、光ビームを９０度反射させて対物レンズ６へ導くように配設されている。
【００５６】
以下、図４を用いて、ミラー１２について詳しく説明する。図４は、ミラー１２の斜視図である。
【００５７】
図４に示すように、ミラー１２は、立方体を対角線で切断した直角二等辺三角柱の形状を有しており、切断面が反射面となっている。ここで、ミラー１２の反射面は、外周から略０．３ｍｍ程度内側までの部分に、反射面として使用することができない領域（以下、使用不可領域と記す）１３が存在する。使用不可領域１３は、ミラーを加工する際に割れ目や欠け等が生じる可能性があるため、反射面として使用することができない領域である。このため、ミラー１２は、ミラー１２へ入射する光ビームの幅よりも少し広い大きさのものを用いる必要がある。
【００５８】
次に、レンズフォルダ１７によって、対物レンズ６をフォーカス方向に駆動させる動作について、図５及び図１２を用いて以下に説明する。
【００５９】
図５は、図１のレンズ駆動装置１０１を、対物レンズ６の中心を通ってフォーカス方向に切断した断面図である。図１２は、対物レンズ６がミラー１２側に最も接近した場合における従来のレンズ駆動装置を、対物レンズ６の中心を通ってフォーカス方向に切断した断面図である。
【００６０】
尚、図５中の光ビーム１５には、光源から出射されミラー１２に反射されるまでの光ビーム１５ａと、ミラー１２で反射して対物レンズ６に入射する光ビーム１５ｂと、記録媒体で反射して対物レンズ６からミラー１２へ入射する光ビーム１５ｃと、ミラー１２で反射して光源側へ入射する光ビーム１５ｄとが含まれる。
【００６１】
図５に示すように、本実施の形態に係るレンズ駆動装置１０１は、光源から出射されてミラー１２で反射された、対物レンズ６に入射する光ビーム１５ｂを、対物レンズ６によって記録媒体の記録層へ集光させる構成となっている。レンズ駆動装置１０１は、対物レンズ６によって記録媒体の記録層へ光ビーム１５ｂを集光させるときに、光ビーム１５ｂの焦点が常に記録媒体の記録層に合うように、レンズフォルダ１７をトラッキング方向及びフォーカス方向に駆動させている。
【００６２】
図１２に示すように、従来のレンズ駆動装置では、レンズフォルダ１０７をフォーカス方向に駆動させているときに、レンズフォルダ１０７における対物レンズ保持部１０９とミラー１２とが接触しないように、対物レンズ保持部１０９とミラー１２との間に、接触を避けるための空間が設けられている。これは、ミラー１２が使用不可領域１３を有するためであり、従って、対物レンズ６とミラー１２の反射面との間には、使用不可領域１３のフォーカス方向における幅Ｗ以上の空間を設けなければならない。このため、この接触を避けるために必要な空間のフォーカス方向における幅に相当する量だけ、従来のレンズ駆動装置は厚くなってしまう。
【００６３】
一方、図５に示すように、レンズ駆動装置１０１では、レンズフォルダ１７をフォーカス方向に駆動させるときに対物レンズ保持部１９がミラー１２と接触しないように、対物レンズ保持部１９は切り欠き部を備えている。つまり、対物レンズ保持部１９は、ミラー１２の使用不可領域１３を含む先端部分（対物レンズ６と近接するミラー１２の端部１２ａ）と対向する領域が切り取られている。これにより、対物レンズ６をミラー１２の反射面により接近させることができる。
【００６４】
より具体的には、上記切り欠き部は、対物レンズ保持部のミラー側底面から見て凹部となっている。このため、レンズフォルダ１７とミラー１２とが最も接近する領域１０２において、対物レンズ保持部１９に設けられた凹部である切り欠き部は、ミラー１２の使用不可領域１３を含む先端部分（対物レンズ６と近接するミラー１２の端部１２ａ）を、凹部（空間）に収容することができる。これにより、対物レンズ保持部１９がミラー１２側に最も接近したときの上記対物レンズ６のミラー１２側に面した頂上部６ａのフォーカス方向における位置を、対物レンズ６と近接するミラー１２の端部１２ａよりも低く（ミラー１２底面に近くなるように）することができる。従って、対物レンズ保持部１９に切り欠き部を設けない場合と比べて、対物レンズ６をミラー１２に、より接近させて設置することができる。
【００６５】
特に、凹部が、フォーカス方向及びトラッキング方向と直交する方向において、ミラー１２の使用不可領域１３の幅よりも長い場合は、対物レンズ６をミラー１２の反射面に極限まで、つまり、光源から出射されてミラー１２で反射する前の光ビーム１５ａ、および記録媒体で反射して対物レンズ６を通過し、ミラー１２で反射された後の光ビーム１５ｄを遮らないで、ミラー１２に最も接近する位置まで近づけることができるため、より好ましい。
【００６６】
このように、対物レンズ保持部１９に簡単な加工を施すことで、対物レンズ保持部１９とミラー１２との接触を避けるために必要な空間を容易に低減することができる。このため、製造工程や製造コストを大幅に増やすことなく、レンズ駆動装置１０１の更なる薄型化を容易に図ることができる。
【００６７】
以上のように、本発明に係るレンズ駆動装置１０１では、ミラー１２と対物レンズ保持部１９との接触を避けるために必要な空間を低減することができる。このため、低減した空間に相当する厚さだけ、レンズ駆動装置１０１を薄型化することができる。これにより、より薄型化を図ることができるレンズ駆動装置１０１を提供することができる。また、本発明に係るレンズ駆動装置１０１を搭載することで、より薄型化を図ることができる光ピックアップ装置を実現することができる。
【００６８】
（実施の形態２）
本発明の第２の実施の形態について、図６を用いて以下に詳細に説明する。但し、上述した実施の形態１における部材と同一の部材には同一の符号を付し、その説明は省略する。
【００６９】
実施の形態１において、レンズフォルダ１７を使用する代わりにレンズフォルダ２７を使用すること以外は、実施の形態１の構成と同じ構成で、レンズ駆動装置が形成されている。
【００７０】
以下に、レンズフォルダ２７によって、対物レンズ６をフォーカス方向に駆動させる動作について、図６を用いて説明する。
【００７１】
図６は、対物レンズ保持部がミラー側に最も接近した場合における本実施の形態に係るレンズ駆動装置を対物レンズの中心を通ってフォーカス方向に切断した断面図である。
【００７２】
図６に示すように、レンズ駆動装置２０１において、レンズフォルダ２７における対物レンズ保持部２９は、レンズフォルダ２７をフォーカス方向に駆動させるときにミラー１２と接触しないように切り欠き部を備えている。つまり、対物レンズ保持部２９は、ミラー１２の使用不可領域１３を含む先端部分（対物レンズ６と近接するミラー１２の端部１２ａ）と対向する領域が切り取られている。このため、対物レンズ６をミラー１２の反射面により接近させることができる。
【００７３】
具体的には、上記切り欠き部は、切り欠き面ａがフォーカス方向に平行になるように設けられている。つまり、対物レンズ保持部２９のトラッキング方向と直交する方向における幅が短くなり、トラッキング方向と直交する方向における対物レンズ保持部２９のミラー１２側の端部が、対物レンズ６により接近する。
【００７４】
よって、レンズフォルダ２７とミラー１２とが最も接近する領域２０２において、対物レンズ保持部２９は、ミラー１２の使用不可領域１３を含む先端部分（対物レンズ６と近接するミラー１２の端部１２ａ）を、切り欠き部を設けたことにより生じる空間に収容することができる。これにより、対物レンズ保持部２９がミラー１２側に最も接近したときにおける上記対物レンズ６のミラー１２側に面した頂上部６ａのフォーカス方向における位置を、対物レンズ６と近接するミラー１２の端部１２ａよりも低く（ミラー１２底面に近くなるように）することができる。従って、対物レンズ保持部２９に切り欠き部を設けない場合と比べて、対物レンズ６をミラー１２により接近させて設置することができる。
【００７５】
特に、トラッキング方向と直交する方向において、切り欠き部を設けたことにより生じる空間の幅が、ミラー１２の使用不可領域１３の幅よりも長い場合は、対物レンズ６をミラー１２の反射面に極限まで、つまり、光源から出射されてミラー１２で反射する前の光ビーム１５ａ、および記録媒体で反射して対物レンズ６を通過し、ミラー１２で反射された後の光ビーム１５ｄを遮らないで、ミラー１２に最も接近する位置まで近づけることができるため、より好ましい。
【００７６】
このように、対物レンズ保持部２９に簡単な加工を施すことで、対物レンズ保持部２９とミラー１２との接触を避けるために必要な空間を容易に低減することができる。このため、製造工程や製造コストを大幅に増やすことなく、レンズ駆動装置２０１の薄型化を容易に図ることができる。
【００７７】
以上のように、本発明に係るレンズ駆動装置２０１においては、ミラー１２と対物レンズ保持部２９との接触を避けるために必要な空間を低減することができる。このため、低減した空間に相当する厚さだけ、レンズ駆動装置２０１を薄型化することができる。これにより、より薄型化を図ることができるレンズ駆動装置２０１を提供することができる。また、本発明に係るレンズ駆動装置２０１を搭載することで、より薄型化を図ることができる光ピックアップ装置を実現することができる。
【００７８】
（実施の形態３）
本発明の第３の実施の形態について、図７を用いて以下に詳細に説明する。但し、上述した実施の形態１における部材と同一の部材には同一の符号を付し、その説明は省略する。
【００７９】
実施の形態１において、レンズフォルダ１７を使用する代わりにレンズフォルダ３７を使用すること以外は、実施の形態１の構成と同じ構成で、レンズ駆動装置が形成されている。
【００８０】
以下に、レンズフォルダ３７によって、対物レンズ６をフォーカス方向に駆動させる動作について、図７を用いて説明する。
【００８１】
図７は、対物レンズがミラー側に最も接近した場合における本実施の形態に係るレンズ駆動装置を対物レンズの中心を通ってフォーカス方向に切断した断面図である。
【００８２】
図７に示すように、レンズ駆動装置３０１において、レンズフォルダ３７における対物レンズ保持部３９は、レンズフォルダ３７をフォーカス方向に駆動させるときにミラー１２と接触しないように切り欠き部を備えている。つまり、対物レンズ保持部３９は、ミラー１２の使用不可領域１３を含む先端部分（対物レンズ６と近接するミラー１２の端部１２ａ）と対向する領域が切り取られている。このため、対物レンズ６をミラー１２の反射面により接近させることができる。
【００８３】
具体的には、上記切り欠き部は、切り欠き面ｂがトラッキング方向に平行になるように、つまり、切り欠き面ｂがミラー１２と対向する面３９ａとなるように設けられている。これにより、対物レンズ保持部３９のフォーカス方向における幅が短くなり、対物レンズ６は対物レンズ保持部３９のミラー１２側の底面（ミラー１２と対向する面３９ａ）よりもミラー１２側に突出している。
【００８４】
よって、レンズフォルダ３７とミラー１２とが最も接近する領域３０２において、対物レンズ保持部３９は、ミラー１２の使用不可領域１３を含む先端部分（対物レンズ６と近接するミラー１２の端部１２ａ）を、切り欠き部を設けたことにより生じる空間に収容することができる。これにより、対物レンズ保持部３９がミラー１２側に最も接近したときにおける上記対物レンズ６のミラー１２側に面した頂上部６ａのフォーカス方向における位置を、対物レンズ６と近接するミラー１２の端部１２ａよりも低く（ミラー１２底面に近くなるように）することができる。従って、対物レンズ保持部３９に切り欠き部を設けない場合と比べて、対物レンズ６をミラーにより接近させて設置することができる。
【００８５】
特に、フォーカス方向において、切り欠き部を設けたことにより生じる空間の幅が、ミラー１２の使用不可領域１３の幅よりも長い場合は、対物レンズ６をミラー１２の反射面に極限まで、つまり、光源から出射されてミラー１２で反射する前の光ビーム１５ａ、および記録媒体で反射して対物レンズ６を通過し、ミラー１２で反射された後の光ビーム１５ｄを遮らないで、ミラー１２に最も接近する位置まで近づけることができるため、より好ましい。
【００８６】
このように、対物レンズ保持部３９に簡単な加工を施すことで、対物レンズ保持部３９とミラー１２との接触を避けるために必要な空間を容易に低減することができる。このため、製造工程や製造コストを大幅に増やすことなく、レンズ駆動装置３０１の薄型化を容易に図ることができる。
【００８７】
以上のように、本発明に係るレンズ駆動装置３０１においては、ミラー１２と対物レンズ保持部３９との接触を避けるために必要な空間を低減することができる。このため、低減した空間に相当する厚さだけ、レンズ駆動装置３０１を薄型化することができる。これにより、より薄型化を図ることができるレンズ駆動装置３０１を提供することができる。また、本発明に係るレンズ駆動装置３０１を搭載することで、より薄型化を図ることができる光ピックアップ装置を実現することができる。
【００８８】
（実施の形態４）
本発明の第４の実施の形態について、図８を用いて以下に詳細に説明する。但し、上述した実施の形態１における部材と同一の部材には同一の符号を付し、その説明は省略する。
【００８９】
実施の形態１において、レンズフォルダ１７を使用する代わりに、レンズフォルダ４７を使用すること、及びレンズフォルダ４７が波長板１８を備えていること以外は、実施の形態１の構成と同じ構成で、レンズ駆動装置が形成されている。
【００９０】
図８は、対物レンズがミラー側に最も接近した場合における本実施の形態に係るレンズ駆動装置を対物レンズの中心を通ってフォーカス方向に切断した断面図である。
【００９１】
波長板１８は、レンズフォルダ４７における対物レンズ保持部４９のミラー１２側に設置されている。波長板１８は、底面が正方形である板形状を有し、ミラー１２からの光ビーム１５ｂの位相及び記録媒体の記録層で反射した光ビーム１５ｃの位相をずらすようになっている。
【００９２】
図８に示すように、レンズ駆動装置４０１は、光源で出射されてミラー１２で反射された、波長板１８に入射する光ビーム１５ｂの位相を波長板によってずらすと共に、対物レンズ６によって記録媒体の記録層へ集光させる構成となっている。レンズ駆動装置４０１は、対物レンズ６によって記録媒体の記録層へ光ビーム１５ｂを集光させるときに、光ビーム１５ｂの焦点が常に記録媒体の記録層に合うように、レンズフォルダ４７をトラッキング方向及びフォーカス方向に駆動させている。
【００９３】
以下に、レンズフォルダ４７によって、対物レンズ６をフォーカス方向に駆動させる動作について説明する。
【００９４】
図８に示すように、レンズ駆動装置４０１において、レンズフォルダ４７における対物レンズ保持部４９は、レンズフォルダ４７をフォーカス方向に駆動させるときにミラー１２と接触しない形状となっている。つまり、対物レンズ保持部４９では、波長板１８におけるミラー１２頂上部側の端部１８ａのフォーカス方向における位置が、ミラー１２頂上部側の端部１８ａと対向する、光源側（光源から出射された光ビームが入射する入射側）の端部１８ｂよりも対物レンズ６側となるように傾けて波長板１８を設置できるように、波長板１８が設置される領域が切り取られている。このため、波長板１８の面方向を対物レンズに入射する光ビーム１５ｂの光軸に対して傾けて波長板１８を配置するように設けられる。つまり、波長板１８は、波長板１８におけるミラー１２に近い側の端部（ミラー１２頂上部側の端部１８ａ）をミラー１２から遠ざける方向に傾けて設置される。これにより、対物レンズ６をミラー１２の反射面により接近させることができる。
【００９５】
よって、レンズフォルダ４７とミラー１２とが最も接近する領域４０２において、対物レンズ保持部４９は、ミラー１２の使用不可領域１３を含む先端部分（対物レンズ６と近接するミラー１２の端部１２ａ）を、波長板１８を傾けて設置したことにより生じる空間に収容することができる。これにより、対物レンズ保持部４９がミラー１２側に最も接近したときにおける波長板１８の光源側の端部１８ｂのフォーカス方向における位置を、対物レンズ６と近接するミラー１２の端部１２ａよりも低く（ミラー１２底面に近くなるように）することができる。従って、対物レンズ６をミラー１２により接近させて設置することができる。
【００９６】
特に、フォーカス方向において、波長板１８を傾けて設置したことにより生じる空間の幅がミラー１２の使用不可領域１３の幅よりも長い場合は、対物レンズ６をミラー１２の反射面に極限まで、つまり、光源から出射されてミラー１２で反射する前の光ビーム１５ａ、および記録媒体で反射して対物レンズ６を通過し、ミラー１２で反射された後の光ビーム１５ｄを波長板１８が遮らないで、ミラー１２に最も接近する位置まで近づけることができるため、より好ましい。
【００９７】
尚、波長板１８が設置される傾きは、光源から出射されてミラー１２で反射する前の光ビーム１５ａ、および記録媒体で反射して対物レンズ６を通過し、ミラー１２で反射された後の光ビーム１５ｄを遮らなければ特には限定されず、波長板１８の大きさや、光ビーム１５の入射条件等によって適宜設定される。
【００９８】
波長板１８の傾きの一例を、図９を用いて説明する。図９は、対物レンズ６がミラー１２側に最も接近した場合における波長板１８’を備えたレンズ駆動装置を対物レンズ６の中心を通ってフォーカス方向に切断した断面図である。
【００９９】
図９に示すように、レンズ駆動装置４０１における波長板１８よりも幅が短い（上面の面積が小さい）波長板１８’を用いた場合では、波長板１８と同じ角度でレンズ保持部４９’に設置すると、反射板１８’は、光源から出射されてミラー１２で反射した光ビーム１５ｂを全て受光することができない。このため、図９に示すように、波長板１８’は、波長板１８よりも緩やかな傾斜で設置する必要がある。
【０１００】
また、本実施の形態では、用いる波長板１８の大きさや、波長板１８の角度を調整することにより、対物レンズ６をミラー１２の反射面に接近させるため、波長板１８の大きさを小さくしなくても、レンズ駆動装置４０１の薄型化を図ることができる。このため、波長板１８の大きさを光ビームに対して限界まで小さくする必要が無いため、光ビーム１５ｂ・１５ｃに対する波長板１８の位置を厳密に調整する必要がない。従って、製造コストを高めることなく、レンズ駆動装置４０１の薄型化を図ることができる。
【０１０１】
このように、対物レンズ保持部４９に簡単な加工を施すことで、対物レンズ保持部４９とミラー１２との接触を避けるために必要な空間を容易に低減することができる。このため、製造工程や製造コストを大幅に増やすことなく、レンズ駆動装置４０１の薄型化を容易に図ることができる。
【０１０２】
以上のように、本発明に係るレンズ駆動装置４０１においては、ミラー１２と対物レンズ保持部４９との接触を避けるために必要な空間を低減することができる。このため、低減した空間に相当する厚さだけ、レンズ駆動装置４０１を薄型化することができる。これにより、より薄型化を図ることができるレンズ駆動装置４０１を提供することができる。また、本発明に係るレンズ駆動装置４０１を搭載することで、より薄型化を図ることができる光ピックアップ装置を実現することができる。
【０１０３】
尚、上述した説明では、波長板１８を傾けるために、波長板１８と接する領域のみが切り取られた対物レンズ保持部４９を用いた場合について説明したが、これに限るものではなく、例えば、実施の形態３で示したレンズ保持部３９のように、トラッキング方向と平行に切り取られたレンズ保持部３９を用いてもよい。レンズ保持部の底面を切り取ることによって波長板１８を傾けて設置することができれば、本実施形態と略同様の効果が得られる。
【０１０４】
（実施の形態５）
本発明の第５の実施の形態について、図１０を用いて以下に詳細に説明する。但し、上述した実施の形態１および実施の形態４における部材と同一の部材には同一の符号を付し、その説明は省略する。
【０１０５】
実施の形態４において、レンズフォルダ４７を使用する代わりに、レンズフォルダ５７を使用すること以外は、実施の形態４の構成と同じ構成で、レンズ駆動装置が形成されている。
【０１０６】
以下に、レンズフォルダ５７によって、対物レンズ６をフォーカス方向に駆動させる動作について、図１０を用いて以下に説明する。
【０１０７】
図１０は、対物レンズがミラー側に最も接近した場合における本実施の形態に係るレンズ駆動装置を対物レンズの中心を通ってフォーカス方向に切断した断面図である。
【０１０８】
図１０に示すように、レンズ駆動装置５０１において、波長板１８は、対物レンズ６をミラー１２に近づけたときにミラー１２と接触することを避けるようにして、対物レンズ保持部５９のミラー１２側の底面に配置されている。このため、対物レンズ６をミラー１２の反射面により接近させることができる。
【０１０９】
具体的には、波長板１８のミラー１２に近い側の端部（ミラー頂上部側の端部１８ａ）を、ミラー１２の使用不可領域１３を含む先端部分（対物レンズ６と近接するミラー１２の端部１２ａ）を避けるように、トラッキング方向と直交する方向に沿ってミラー１２から遠ざける方向にずらして波長板１８が設置されている。
【０１１０】
よって、レンズフォルダ５７とミラー１２とが最も接近する領域５０２において、レンズ駆動装置５０１は、ミラー１２の使用不可領域１３を含む先端部分（対物レンズ６と近接するミラー１２の端部１２ａ）を、波長板１８をずらして設置したことにより生じる空間に収容することができる。これにより、対物レンズ保持部５９がミラー１２側に最も接近したときにおける波長板１８の底面のフォーカス方向における位置を、対物レンズ６と近接するミラー１２の端部１２ａよりも低く（ミラー１２底面に近くなるように）することができる。従って、波長板１８がミラー１２との接触を避けるように配置されていない場合と比べて、対物レンズ６をミラー１２により接近させて設置することができる。
【０１１１】
特に、トラッキング方向と直交する方向において、波長板１８をずらすことにより生じる空間の幅がミラー１２の使用不可領域１３の幅よりも長い場合は、対物レンズ６をミラー１２の反射面に極限まで、つまり、光源から出射されてミラー１２で反射する前の光ビーム１５ａ、および記録媒体で反射して対物レンズ６を通過し、ミラー１２で反射された後の光ビーム１５ｄを波長板１８が遮らないで、ミラー１２に最も接近する位置まで近づけることができるため、より好ましい。
【０１１２】
このように、対物レンズ保持部５９に簡単な加工を施すことで、対物レンズ保持部５９とミラー１２との接触を避けるために必要な空間を容易に低減することができる。このため、製造工程や製造コストを大幅に増やすことなく、レンズ駆動装置５０１の薄型化を容易に図ることができる。
【０１１３】
以上のように、本発明に係るレンズ駆動装置５０１においては、ミラー１２と対物レンズ保持部５９との接触を避けるために必要な空間を低減することができる。このため、低減した空間に相当する厚さだけ、レンズ駆動装置５０１を薄型化することができる。これにより、より薄型化を図ることができるレンズ駆動装置５０１を提供することができる。また、本発明に係るレンズ駆動装置５０１を搭載することで、より薄型化を図ることができる光ピックアップ装置５０１を実現することができる。
【０１１４】
尚、上述した実施の形態１〜５の説明では、ミラー１２として、形状が直角二等辺三角柱のものを用いた場合について説明したが、これに限るものではなく、例えば、形状が平板のものであってもよい。光源から出射された光ビーム１５ａを反射させて対物レンズ６へ導くことができれば、ミラー１２がどのような形状であっても、本実施形態と略同様の効果が得られる。
【０１１５】
また、上述した実施の形態４、５の説明では、波長板１８として、底面が正方形であるものを用いた場合について説明したが、これに限るものではなく、例えば、底面が円形のものであってもよい。光源から出射されて、ミラー１２で反射した光ビーム１５ｂを全て受光することができれば、波長板１８の大きさや底面の形状が異なっていても、本実施形態と略同様の効果が得られる。
【０１１６】
また、上述した実施の形態１〜５の説明では、光源から出射された光ビーム１５ａをレンズ駆動装置に導くための部材がミラー１２の場合について説明したが、これに限るものではなく、例えば、ビームスプリッタであってもよい。光源から出射された光ビーム１５ａをレンズ駆動装置に導くための部材がビームスプリッタであれば、本実施形態と略同様の効果が得られる。
【０１１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１８】
本発明に係るレンズ駆動装置は、以上のように、光源から出射されてミラーで反射された光ビームを、対物レンズを用いて記録媒体の記録層に集光させるレンズ駆動装置において、上記対物レンズを光軸方向に移動可能な状態で保持する対物レンズ保持部を備え、上記対物レンズ保持部は、対物レンズをミラーに近づけたときに対物レンズ保持部とミラーとが接触することを避けるための切り欠き部を備えている。
【０１１９】
また、本発明に係るレンズ駆動装置は、光源から出射されてミラーで反射された光ビームを、対物レンズを用いて記録媒体の記録層に集光させるレンズ駆動装置において、上記対物レンズを光軸方向に移動可能な状態で保持する対物レンズ保持部と、上記ミラーで反射された光ビームに対して位相をずらすための波長板とを備え、上記波長板は、対物レンズをミラーに近づけたときにミラーと接触することを避けるようにして、上記対物レンズ保持部のミラー側底面に配置されている。
【０１２０】
本発明に係るレンズ駆動装置では、上記対物レンズ保持部は、対物レンズをミラーに近づけたときに対物レンズ保持部とミラーとが接触することを避けるための切り欠き部を備えていることが好ましい。
【０１２１】
これにより、波長板をミラーの反射面に極限まで近づけることができるため、対物レンズ保持部とミラーとの接触を避けるために必要な空間を低減することができる。よって、より薄型化を図ることができるレンズ駆動装置を提供することができるというさらなる効果を奏する。
【０１２２】
また、本発明に係るレンズ駆動装置では、上記切り欠き部が、対物レンズ保持部のミラー側底面から見て凹部となっているが好ましい。
【０１２３】
これにより、ミラーの反射面として使用することができない領域を含む先端部分を、対物レンズ保持部が備える凹部（空間）に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【０１２４】
また、本発明に係るレンズ駆動装置では、上記切り欠き部における切り欠き面が、フォーカス方向に平行であることが好ましい。
【０１２５】
これにより、ミラーの反射面として使用することができない領域を含む先端部分を、対物レンズ保持部に切り欠き部を設けたことにより生じる空間に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【０１２６】
また、本発明に係るレンズ駆動装置では、上記切り欠き部における切り欠き面が、トラッキング方向に平行であることが好ましい。
【０１２７】
これにより、ミラーの反射面として使用することができない領域を含む先端部分を、対物レンズ保持部に切り欠き部を設けたことにより生じる空間に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【０１２８】
また、本発明に係るレンズ駆動装置では、上記波長板が、波長板の面方向を対物レンズに入射する光ビームの光軸に対して傾けて配置されていることが好ましい。
【０１２９】
これにより、ミラーの反射面として使用することができない領域を含む先端部分を、波長板を傾けたことにより生じる空間に収容することができる。このため、対物レンズ保持部に簡単な加工を施すことで、対物レンズ保持部とミラーとの接触を避けるために必要な空間を容易に低減することができる。よって、製造コストを抑制することができるというさらなる効果を奏する。
【０１３０】
また、本発明に係る光ピックアップ装置は、上記本発明に係るレンズ駆動装置を搭載している。このため、より薄型化を図ることができる光ピックアップ装置を提供することができるという効果を奏する。
【０１３１】
また、本発明に係る光記録再生装置は、本発明に係る光ピックアップ装置を搭載している。このため、より薄型化を図ることができる光記録再生装置を提供することができるという効果を奏する。
【０１３２】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する特許請求事項の範囲内で、いろいろと変更して実施することができるものである。
【産業上の利用可能性】
【０１３３】
本発明に係るレンズ駆動装置は、以上のように、対物レンズ保持部とミラーとの接触を避けるために必要な空間を低減することができる。このため、薄型化したレンズ駆動を提供することができる。それゆえ、本発明のレンズ駆動装置は、光ピックアップ等に好適に用いることができる。さらには、本発明のレンズ駆動は、光ディスク等の記録媒体への光学的な情報の記録及び／または再生を行う光記録再生装置等に好適に用いることができる。従って、本発明に係るレンズ駆動装置は、家庭から工業設備に至る様々な電気製品の分野に好適に用いることができる。
【図面の簡単な説明】
【０１３４】
【図１】対物レンズがミラー側に最も接近した場合における本実施の形態に係るレンズ駆動装置の斜視図である。
【図２】図１に示す矢印Ａの方向から見たレンズ駆動装置の側面図である。
【図３】図１に示す矢印Ｂの方向から見たレンズ駆動装置の側面図である。
【図４】図１に示すミラーの斜視図である。
【図５】図１のレンズ駆動装置を、対物レンズの中心を通ってフォーカス方向に切断した断面図である。
【図６】対物レンズがミラー側に最も接近した場合における本実施の他の形態に係るレンズ駆動装置を対物レンズの中心を通ってフォーカス方向に切断した断面図である。
【図７】対物レンズがミラー側に最も接近した場合における本実施の更に他の形態に係るレンズ駆動装置を対物レンズの中心を通ってフォーカス方向に切断した断面図である。
【図８】対物レンズがミラー側に最も接近した場合における本実施の更に他の形態に係るレンズ駆動装置を対物レンズの中心を通ってフォーカス方向に切断した断面図である。
【図９】対物レンズがミラー側に最も接近した場合における本実施の更に他の形態に係るレンズ駆動装置を対物レンズの中心を通ってフォーカス方向に切断した断面図である。
【図１０】対物レンズがミラー側に最も接近した場合における本実施の更に他の形態に係るレンズ駆動装置を対物レンズの中心を通ってフォーカス方向に切断した断面図である。
【図１１】従来のレンズ駆動装置を対物レンズの中心を通ってフォーカス方向に切断した断面図である。
【図１２】対物レンズがミラー側に最も接近した場合における従来のレンズ駆動装置を、対物レンズの中心を通ってフォーカス方向に切断した断面図である。
【符号の説明】
【０１３５】
６    対物レンズ
６ａ    対物レンズのミラー側に面した頂上部
１２    ミラー
１２ａ    対物レンズと近接する端部
１５    光ビーム
１８    波長板
１８ａ    ミラー頂上部側の端部
１８ｂ    光源側の端部
１９    対物レンズ保持部
１０１    レンズ駆動装置
２０１    レンズ駆動装置
３０１    レンズ駆動装置
４０１    レンズ駆動装置
５０１    レンズ駆動装置
ａ    切り欠き面
ｂ    切り欠き面
【図１】
2007059041.tif 000003
【図２】
2007059041.tif 000004
【図３】
2007059041.tif 000005
【図４】
2007059041.tif 000006
【図５】
2007059041.tif 000007
【図６】
2007059041.tif 000008
【図７】
2007059041.tif 000009
【図８】
2007059041.tif 000010
【図９】
2007059041.tif 000011
【図１０】
2007059041.tif 000012
【図１１】
2007059041.tif 000013
【図１２】
2007059041.tif 000014